(57)【要約】【課題】  電動モータを動力源としてペレット堆肥や粒状物を精密に散布する装置。【解決手段】  小型運搬車２の荷台２ａ、または小型トラック３の荷台３ａに搭載される汎用型のペレット堆肥散布機１であって、小型運搬車２の荷台２ａ、または小型トラック３の荷台３ａに着脱可能の本体フレーム４に、小型発電機５と、ペレット堆肥を収容するペレット堆肥収容ホッパ６と、前記ペレット堆肥収容ホッパ６に収容されたペレット堆肥を電動モータの動力により繰り出すペレット堆肥繰り出し装置８と、前記ペレット堆肥繰り出し装置８により繰り出されたペレット堆肥を電動モータの動力により回転する回転円盤１０により圃場に向け散布するペレット堆肥散布装置１１と、前記ペレット堆肥散布装置１１の回転円盤１０により水平方向に放出されたペレット堆肥の散布方向及び散布幅を制御する板状体１２ａ，１２ｂからなるペレット堆肥散布幅制御装置１２とを備えている。【選択図】図１
0003111822.tif 000002
【実用新案登録請求の範囲】
【請求項１】
小型運搬車の荷台、または小型トラックの荷台に搭載される汎用型のペレット堆肥散布機であって、
前記ペレット堆肥散布機は、前記小型運搬車の荷台、または小型トラックの荷台に着脱可能の本体フレームに、小型発電機と、ペレット堆肥を収容するペレット堆肥収容ホッパと、前記ペレット堆肥収容ホッパに収容されたペレット堆肥を電動モータの動力により繰り出すペレット堆肥繰り出し装置と、前記ペレット堆肥繰り出し装置により繰り出されたペレット堆肥を電動モータの動力により回転する回転円盤により圃場に向け散布するペレット堆肥散布装置と、前記ペレット堆肥散布装置の回転円盤により水平方向に放出されたペレット堆肥の散布方向及び散布幅を制御する板状体からなるペレット堆肥散布幅制御装置と、を備えていることを特徴とする汎用型ペレット堆肥散布機。
【請求項２】
前記ペレット堆肥収容ホッパのペレット堆肥の積載量を最大５００ｋｇとし、前記ペレット堆肥繰り出し装置の回転軸、及びペレット堆肥散布装置の回転円盤を回転駆動するモータは、前記小型発電機により発電された電力を受けて回転する別々のモータとし、それぞれのモータの回転数を電圧調整器機により調整することを特徴とする請求項１記載の汎用型ペレット堆肥散布機。
【請求項３】
前記ペレット堆肥繰り出し装置のペレット堆肥繰り出し量を調節する繰り出し量調節レバーと、ペレット堆肥の繰り出しを停止するペレット堆肥繰り出し停止レバーとを設け、これら両レバーを、前記小型運搬車、または小型トラックの運転席において操作できるように配設したことを特徴とする請求項１又は２記載の汎用型ペレット堆肥散布機。
【請求項４】
前記ペレット堆肥繰り出し装置の回転軸、及びペレット堆肥散布装置の回転円盤を回転駆動するモータをオン・オフ制御する制御スイッチ、及び両モータの回転数を調整するモータ回転数制御装置を、前記小型運搬車、または小型トラックの運転席において操作できるように配設したことを特徴とする請求項１，２又は３記載の汎用型ペレット堆肥散布機。
【請求項５】
前記ペレット堆肥散布幅制御装置の板状体を、前記ペレット堆肥散布装置の回転円盤に対応して左右両側に設け、前記左右両側の板状体の機体への取付け基部側を水平方向に回動・固定可能に支持し、前記左右の板状体の間隔を変えることによりペレット堆肥の散布方向及び散布幅を調節可能としたことを特徴とする請求項１，２，３又は４記載の汎用型ペレット堆肥散布機。
【請求項６】
前記本体フレームを、小型運搬車の荷台、または小型トラックの荷台から取り外し、移動台車に搭載して汎用型ペレット堆肥散布機を移動自在にしたことを特徴とする請求項１，２，３，４又は５記載の汎用型ペレット堆肥散布機。
【考案の詳細な説明】
【技術分野】
【０００１】
この考案は、従来から知られている粒状（ペレット）肥料散布のほか、有機資材用の散布も可能な汎用型散布機に関するものであり、さらに具体的には、小型運搬車の荷台、及び小型（軽）トラック（以下、小型トラックという。）の荷台へ搭載可能なタイプの散布機であり、広大な圃場から施設ハウス等の狭い圃場までのペレット資材の精密散布が可能で、堆肥等の有機資材の利用と作業効率を向上させることができる軽量で簡易な構成の汎用型ペレット堆肥散布機に関する。
【背景技術】
【０００２】
従来からある粒状肥料の散布機としては、トラクタ装着タイプのブロードキャスタが周知である。また、特許文献１に記載されているような、ホッパーの下方に散布手段２を設け、この散布手段の下方に伝動部を設け、この伝動部を駆動する原動機をユニット化してなる肥料散布機を移動台車の荷枠に搭載して、前記荷枠の一側端から散布可能に構成するとともに、ホッパーより前方に散布手段を偏位させて構成し、この散布手段を荷枠の側端縁に近接配置させ、かつ、ホッパーのアジテータは散布手段の回転より遅く回転するようにした肥料散布機も周知である。
【０００３】
【特許文献１】特開２００１−１６９３６号公報
【考案の開示】
【考案が解決しようとする課題】
【０００４】
上記ブロードキャスタにおいては、肥料散布量の微調節が不可能で（散布量調節開度を小さくするとペレット堆肥が詰まりやすいこと、すなわち全開した場合のみ散布可能）、全方位に散布するようになっていること（散布幅１０ｍ）、ペレット堆肥収容ホッパの肥料積載量が小さいこと（市販の散布機の場合；約１５０ｋｇ）、ペレット堆肥の粒径の大小の違いによって散布精度が低下すること、ペレットの破損を生ずること、及びハウス等の狭い圃場で散布が困難である等の欠点を持っている。また、特許文献１に記載された肥料散布機においては、肥料の粉砕及び摺り潰しが、それ以前の肥料散布機よりは少なくなっているものの、前記ブロードキャスタと同様の欠点を有していた。そのため本考案は、これらの問題を解決すべく、ペレット堆肥を精密散布することができる汎用型の肥料散布機を提供することを目的とする。
【課題を解決するための手段】
【０００５】
上記の目的を達成するために、本考案の汎用型ペレット堆肥散布機は、以下の構成を有することを特徴としている。
【０００６】
Ａ．小型運搬車の荷台、または小型トラックの荷台に搭載される汎用型のペレット堆肥散布機であって、
前記ペレット堆肥散布機は、前記小型運搬車の荷台、または小型トラックの荷台に着脱可能の本体フレームに、小型発電機と、ペレット堆肥を収容するペレット堆肥収容ホッパと、前記ペレット堆肥収容ホッパに収容されたペレット堆肥を電動モータの動力により繰り出すペレット堆肥繰り出し装置と、前記ペレット堆肥繰り出し装置により繰り出されたペレット堆肥を電動モータの動力により回転する回転円盤により圃場に向け散布するペレット堆肥散布装置と、前記ペレット堆肥散布装置の回転円盤により水平方向に放出されたペレット堆肥の散布方向及び散布幅を制御する板状体からなるペレット堆肥散布幅制御装置とを備えている。
【０００７】
Ｂ．前記ペレット堆肥収容ホッパのペレット堆肥の積載量を最大５００ｋｇとし、前記ペレット堆肥繰り出し装置の回転軸、及びペレット堆肥散布装置の回転円盤を回転駆動するモータは、前記小型発電機により発電された電力を受けて回転する別々のモータとし、それぞれのモータの回転数を電圧調整器機により調整することを特徴とする。
【０００８】
Ｃ．前記ペレット堆肥繰り出し装置のペレット堆肥繰り出し量を調節する繰り出し量調節レバーと、ペレット堆肥の繰り出しを停止するペレット堆肥繰り出し停止レバーとを設け、これら両レバーを、前記小型運搬車、または小型トラックの運転席において操作できるように配設した。
【０００９】
Ｄ．前記ペレット堆肥繰り出し装置の回転軸、及びペレット堆肥散布装置の回転円盤を回転駆動するモータをオン・オフ制御する制御スイッチ、及び両モータの回転数を調整するモータ回転数制御装置を、前記小型運搬車、または小型トラックの運転席において操作できるように配設した。
【００１０】
Ｅ．前記ペレット堆肥散布幅制御装置の板状体を、前記ペレット堆肥散布装置の回転円盤に対応して左右両側に設け、前記左右両側の板状体の機体への取付け基部側を水平方向に回動・固定可能に支持し、前記左右の板状体の間隔を変えることによりペレット堆肥の散布方向及び散布幅を調節可能とした。
【００１１】
Ｆ．前記本体フレームを、小型運搬車の荷台、または小型トラックの荷台から取り外し、移動台車に搭載して汎用型ペレット堆肥散布機を移動自在にした。
【考案の効果】
【００１２】
本考案は、上記Ａ．（請求項１）〜Ｆ．（請求項６）の構成を有することにより、以下の効果を奏することができる。
【００１３】
イ．ペレット堆肥散布機は、小型運搬車の荷台、または小型トラックの荷台に着脱可能の本体フレームに、小型発電機と、ペレット堆肥を収容するペレット堆肥収容ホッパと、前記ペレット堆肥収容ホッパに収容されたペレット堆肥を電動モータの動力により繰り出すペレット堆肥繰り出し装置と、前記ペレット堆肥繰り出し装置により繰り出されたペレット堆肥を電動モータの動力により回転する回転円盤により圃場に向け散布するペレット堆肥散布装置と、前記ペレット堆肥散布装置の回転円盤により水平方向に放出されたペレット堆肥の散布方向及び散布幅を制御する板状体からなるペレット堆肥散布幅制御装置と、を備えているので、ペレット堆肥散布機を小型、コンパクトに、かつ軽量に構成することができる。しかも、肥料散布量の微調節が可能であり、ペレット堆肥繰り出し装置の散布量調節開度を小さくしても、ペレット堆肥の詰まりが少なく、散布幅の調節を容易に行うことができ、ペレット堆肥の粒径の大小の違いによって散布精度が低下することがなく、ペレット堆肥の精密散布を能率良く行うことができる。また、広大な圃場から施設ハウス等の狭い圃場までのペレット資材の精密散布が可能で、堆肥等の有機資材の利用と作業効率を向上させることができる。
【００１４】
ロ．ペレット堆肥収容ホッパのペレット堆肥の積載量を最大５００ｋｇとし、ペレット堆肥繰り出し装置の回転軸、及びペレット堆肥散布装置の回転円盤を回転駆動するモータは、小型発電機により発電された電力を受けて回転する別々のモータとし、それぞれのモータの回転数を電圧調整器機により調整するので、ペレット堆肥収容ホッパのペレット堆肥の積載量が従来のペレット堆肥収容ホッパより大きくなることでペレット堆肥のペレット堆肥収容ホッパヘの補給回数が少なくなり、作業能率を向上させることができる。また、ペレット堆肥や散布資材の性状に応じて、ペレット堆肥繰り出し装置の繰り出し量、及びペレット堆肥散布装置の放射散布力を調節することによって、ペレット堆肥や散布資材の性状に合った適正な散布作業を行うことができる。
【００１５】
ハ．ペレット堆肥繰り出し装置のペレット堆肥繰り出し量を調節する繰り出し量調節レバーと、ペレット堆肥の繰り出しを停止するペレット堆肥繰り出し停止レバーとを設け、これら両レバーを、小型運搬車、または小型トラックの運転席において操作できるように配設したので、ペレット堆肥収容ホッパからのペレット堆肥繰り出し量の調節と、ペレット堆肥収容ホッパからのペレット堆肥の繰り出し停止（または開始）操作を、小型運搬車、または小型トラックの運転席においてこれらを操縦している作業者が操縦しながら行うことができ、作業精度、作業能率を向上させることができる。
【００１６】
ニ．ペレット堆肥繰り出し装置の回転軸及びペレット堆肥散布装置の回転円盤を回転駆動するモータをオン・オフ制御する制御スイッチ、及び両モータの回転数を調整するモータ回転数制御装置を、小型運搬車、または小型トラックの運転席において操作できるように配設したので、小型運搬車、または小型トラックの運転席において操縦している作業者は、これらを操縦しながら、2つのモータのオン・オフ制御、及び回転数を調整して、安全で、ペレット堆肥のロスが少なく、精度の良い散布作業を行うことができる。
【００１７】
ホ．ペレット堆肥散布幅制御装置の板状体を、ペレット堆肥散布装置の回転円盤に対応して左右両側に設け、前記左右両側の板状体の機体への取付け基部側を水平方向に回動・固定可能に支持し、前記左右の板状体の間隔を変えることによりペレット堆肥の散布方向及び散布幅を調節可能としたので、左右両側の板状体を水平方向に回動・固定するだけで、ペレット堆肥の散布方向及び散布幅を簡単に調節することができる。
【００１８】
ヘ．本体フレームを、小型運搬車の荷台、または小型トラックの荷台から取り外し、移動台車に搭載して汎用型ペレット堆肥散布機を移動自在にしたので、汎用型ペレット堆肥散布機を収納するときに移動が容易となる。また、収納した汎用型ペレット堆肥散布機を小型運搬車の荷台、または小型トラックの荷台に搭載するときに、これら荷台に向け移動して接近させ、容易に搭載することができる。
【考案を実施するための最良の形態】
【００１９】
以下、本考案を実施するための最良の形態について、添付の図面を参照しながら具体的に説明する。
図１は、本考案による汎用型ペレット堆肥散布機を小型運搬車の荷台に搭載した状態（第１実施例）の斜め後方からの斜視図、図２は、汎用型ペレット堆肥散布機を小型トラックの荷台に搭載した状態（第２実施例）の側面図、図３は、ペレット堆肥散布装置の背面図、図４は、ペレット堆肥収容ホッパの平面図、図５は、ペレット堆肥収容ホッパ下部のペレット堆肥繰り出し部の部分平面図、図６は、同部分側面図、図７の（ａ）は、ペレット堆肥散布装置の部分背面図、（ｂ）は、回転円盤の拡大平面図、図８は、ペレット堆肥繰り出し量調節装置の部分背面図、図９は、ペレット堆肥繰り出し停止装置の部分背面図、図１０は、ペレット堆肥散布幅制御装置の平面図、図１１は、小型運搬車の運転席近傍に設けられた操作パネルの斜視図、図１２は、汎用型ペレット堆肥散布機を小型運搬車または小型トラックの荷台から取り外して移動台車に搭載した状態の側面図である。
【００２０】
図１ないし図３において、符号１は本考案に係る汎用型のペレット堆肥散布機で、この汎用型ペレット堆肥散布機１は、小型運搬車２の荷台２ａ（第１実施例）、または小型トラック３の荷台３ａ（第２実施例）に搭載されて使用するものである。汎用型ペレット堆肥散布機１は、前記小型運搬車２の荷台２ａ、または小型トラック３の荷台３ａに着脱可能の本体フレーム４に装着されている。
【００２１】
前記本体フレーム４に装着される汎用型ペレット堆肥散布機１は、小型エンジンを装備する小型発電機５と、ペレット堆肥を収容するペレット堆肥収容ホッパ６と、ペレット堆肥収容ホッパ６に収容されたペレット堆肥をペレット堆肥繰り出し用モータ７の動力により繰り出すペレット堆肥繰り出し装置８と、前記ペレット堆肥繰り出し装置８により繰り出されたペレット堆肥を、ペレット堆肥散布用モータ９の動力により回転する回転円盤１０により圃場に向け散布するペレット堆肥散布装置１１と、前記ペレット堆肥散布装置１１の回転円盤１０により水平方向に放出されたペレット堆肥の散布方向及び散布幅を制御する板状体１２ａ，１２ｂなどからなるペレット堆肥散布幅制御装置１２などを備えている。
【００２２】
前記ペレット堆肥収容ホッパ６は、ペレット堆肥の積載量を最大５００ｋｇとしている。このペレット堆肥収容ホッパ６のペレット堆肥を収容する積載部分は、図４に示すように、左右の側板６ａ，６ａと、急傾斜で前傾状に傾斜する前部傾斜板６ｂと、前記前部傾斜板６ｂより緩やかに傾斜している後部傾斜板６ｃとを漏斗状に固設して形成されており、ペレット堆肥収容ホッパ６に収容されたペレット堆肥は、その自重により自動的に底部に向け移動するようにしてある。ペレット堆肥収容ホッパ６の底部開口部に臨んで、前記ペレット堆肥繰り出し装置８のペレット堆肥繰り出し用回転軸１３が左右水平方向に軸架され、前記ペレット堆肥繰り出し用モータ７によりベルト伝動系７ａを介して駆動回転するようにしている。ペレット堆肥繰り出し用回転軸１３の軸周部には、ペレット堆肥を攪拌しながら繰り出す、ペレット堆肥攪拌・繰り出し羽根１３ａが多数個配設されている（図５及び図６参照）。
【００２３】
前記ペレット堆肥繰り出し用回転軸１３により繰り出されたペレット堆肥がペレット堆肥収容ホッパ６の底部から外側に繰り出されるペレット堆肥繰り出し口６ｄには、図８及び図９に示すように、上下方向にスライドしてその高さによってペレット堆肥の繰り出し量を調節するペレット堆肥繰り出し量調節板１４と、前記ペレット堆肥繰り出し口６ｄを開閉して、ペレット堆肥の繰り出しを許容する状態と、ペレット堆肥の繰り出しを停止する状態とを選択・制御するペレット堆肥繰り出し口開閉シャッタ１５とが設けられている。前記ペレット堆肥繰り出し量調節板１４及びペレット堆肥繰り出し口開閉シャッタ１５には、それぞれペレット堆肥繰り出し量調節レバー１４ａと、ペレット堆肥の繰り出しを停止するペレット堆肥繰り出し停止レバー１５ａとが取付けられ、これらペレット堆肥繰り出し量調節レバー１４ａ，ペレット堆肥繰り出し停止レバー１５ａは、リンク機構を介して前記小型運搬車２の運転席２ｂ、または小型トラック３の運転席３ｂにおいて操作できるように連繋されている。
【００２４】
図７（ａ）及び（ｂ）に示すように、前記ペレット堆肥繰り出し口６ｄの下方には、ペレット堆肥繰り出し口６ｄから排出されるペレット堆肥を左右ほぼ中央位置に集めて前記ペレット堆肥散布装置１１の回転円盤１０上に排出して供給するペレット堆肥案内板１６が後方に向け傾斜して設けられている。前記回転円盤１０は、水平矢印方向に回転するように支持されており、前記ペレット堆肥散布用モータ９からベルト伝動系９ａを介して動力を受けて回転する。前記回転円盤１０の上面には、ペレット堆肥案内板１６から供給されたペレット堆肥を、回転円盤１０が回転する遠心力により放射方向に放出する５枚の放出羽根１０ａが、放射方向に等間隔で配設されている。
【００２５】
前記ペレット堆肥繰り出し装置８のペレット堆肥繰り出し用の回転軸１３を駆動回転するペレット堆肥繰り出し用モータ７及びペレット堆肥散布装置１１の回転円盤１０を駆動回転するペレット堆肥散布用モータ９は、それぞれ前記小型発電機５により発電された電力を受けて作動する別々のものであり、それぞれの回転数を電圧調整器機により調整するようにしている。前記ペレット堆肥繰り出し用モータ７及びペレット堆肥散布用モータ９をオン・オフ制御する制御スイッチ及びペレット堆肥繰り出し用モータ７、ペレット堆肥散布用モータ９の回転数を調整する前記電圧調整器機を制御するモータ回転数制御装置としてのモータ制御盤１７を、前記小型運搬車２の運転席２ｂ、または小型トラック３の運転席３ｂにおいて操作できる位置に配設している（図１１参照）。
【００２６】
前記ペレット堆肥散布装置１１の回転円盤１０の一側に対応して、前記ペレット堆肥散布幅制御装置１２の長さの異なる板状体１２ａ，１２ｂを、ヒンジ１２ｃにより角度調節可能に設けている。また、回転円盤１０の他側には１枚の板状体１２ａ，１２ｂからなるペレット堆肥散布幅制御装置１２，１２ｂが水平方向に角度調節可能に設けられている。また、板状体１２ａの機体への取付け基部も水平方向に回動・固定可能に枢支されており、前記左右のペレット堆肥散布幅制御装置１２、ペレット堆肥散布幅制御装置１２の左右間隔、板状体１２ａ，１２ｂの角度を変えることにより、回転円盤１０から放出されるペレット堆肥の散布方向及び散布幅を調節可能にしている。板状体１２ａ，１２ｂの回動調節は手動で行ってもよく、図１０に示すように、シリンダ機構１２ｄにし、前記小型運搬車２の運転席２ｂ、または小型トラック３の運転席３ｂにおいて遠隔自動操作するようにしてもよい。
【００２７】
前記汎用型のペレット堆肥散布機１の本体フレーム４は、小型運搬車２の荷台２ａ、または小型トラック３の荷台３ａに対し着脱可能であり、荷台２ａ、または荷台３ａから汎用型ペレット堆肥散布機１を取り外した状態で、図１２に示すように、移動台車１８に搭載して汎用型ペレット堆肥散布機１を移動自在にしている。
【００２８】
なお、本考案の汎用型ペレット堆肥散布機１は、ペレット堆肥の散布のみならず、他の粒状有機資材、粒状化学肥料、粒状種子等の散布も可能である。また、小型運搬車２の荷台２ａ、及び小型トラック３の荷台３ａへの搭載ばかりでなく、例えば、走行台車に搭載して耕耘整地装置の後部に散布装置として装着し、耕耘整地作業と同時に散布作業を行うことも可能である。
【００２９】
本考案の汎用型ペレット堆肥散布機１により、移動遠度を０．５６ｍ／ｓとしたときのペレット堆肥粒径別のペレット堆肥繰り出し量調節板１４の開度と散布量の関係は表１の通りである。
【００３０】
【表１】
0003111822.tif 000003
【００３１】
次に、上記のように構成された汎用型ペレット堆肥散布機１の作用について説明する。散布作業前にペレット堆肥収容ホッパ６にペレット堆肥を積載するときは、人力により上部開口から投入することは可能であるが、一回の積載量が最大５００ｋｇと大きく、上部開口が比較的高い位置にあるので、フロントローダ、あるいは予め底部に開閉扉を有する積載用タンクを用意しておき、このタンクにペレット堆肥を所定量収容してフォークリフトにより持ち上げることにより、上部開口から短時間で積載することもできる。
【００３２】
小型運搬車２、または小型トラック３により散布すべき畝を跨いだ状態で圃場に導入された汎用型ペレット堆肥散布機１は、小型運搬車２、または小型トラック３を操縦する作業者が、運転席２ｂ、または運転席３ｂにおいてモータ制御盤１７を操作して、散布するペレット堆肥の性状に応じてペレット堆肥繰り出し用モータ７、またはペレット堆肥散布用モータ９の回転数を設定し、また、ペレット堆肥繰り出し量調節レバー１４ａによりペレット堆肥繰り出し量調節板１４を上下調節し、ペレット堆肥繰り出し口６ｄを開けると共に、ペレット堆肥散布幅制御装置１２ａ，１２ｂの左右間隔、水平角度を調節してペレット堆肥の散布量及び散布方向、散布幅などを設定する。そして、小型運搬車２、または小型トラック３を走行させるのと同時に、ペレット堆肥繰り出し用モータ７及びペレット堆肥散布用モータ９をオンにしてペレット堆肥繰り出し用回転軸１３及び回転円盤１０を回転させて散布作業を行う。
【００３３】
ペレット堆肥繰り出し口６ｄから排出されたペレット堆肥は、ペレット堆肥案内板１６を介して回転円盤１０上に導かれ、落下する。回転円盤１０においては放出羽根１０ａによる放射方向の遠心力によりペレット堆肥を回転円盤１０の周方向全方位に放出する。また、ペレット堆肥は傾斜したペレット堆肥案内板１６に沿って移動し、回転円盤１０上に自然落下させているので、ペレット肥料の破損が少なく粉塵の発生も極めて少ない利点がある。
【００３４】
ペレット堆肥の散布幅は、この実施例では３ｍに設定され、往復で６ｍ幅の散布をほぼ均一に行うことができる。九州地方における畑地の堆肥散布量は２ｔｏｎ／１０ａであり、ペレット堆肥では１ｔｏｎ／１０ａとなり、１０ａ散布する場合は、ペレット堆肥収容ホッパ６に２回の積載で散布が可能であり、時間的には約３０分程度ですみ、作業効率が良好である。また、動力源は小型発電機５によりペレット堆肥繰り出し用モータ７及びペレット堆肥散布用モータ９を駆動するので、騒音は小さく、粉塵等の発生も少ないので、一般圃場はもとより、施設園芸内においても自由自在に散布が可能である。また、汎用型ペレット堆肥散布機１を移動台車１８に搭載することにより収納も容易で自由に移動できる。
【図面の簡単な説明】
【００３５】
【図１】本考案による汎用型ペレット堆肥散布機を小型運搬車の荷台に搭載した状態（第１実施例）の斜め後方からの斜視図である。
【図２】汎用型ペレット堆肥散布機を小型トラックの荷台に搭載した状態（第２実施例）の側面図である。
【図３】ペレット堆肥散布装置の背面図である。
【図４】ペレット堆肥収容ホッパの平面図である。
【図５】ペレット堆肥収容ホッパ下部のペレット堆肥繰り出し部の部分平面図である。
【図６】同部分側面図である。
【図７】（ａ）は、ペレット堆肥散布装置の部分背面図、（ｂ）は、回転円盤の拡大平面図である。
【図８】ペレット堆肥繰り出し量調節装置の部分背面図である。
【図９】ペレット堆肥繰り出し停止装置の部分背面図である。
【図１０】ペレット堆肥散布幅制御装置の平面図である。
【図１１】小型運搬車の運転席近傍に設けられた操作パネルの斜視図である。
【図１２】汎用型ペレット堆肥散布機を小型運搬車または小型トラックの荷台から取り外して移動台車に搭載した状態の側面図である。
【符号の説明】
【００３６】
１    汎用型ペレット堆肥散布機
２    小型運搬車
２ａ  荷台
２ｂ  運転席
３    小型トラック
３ａ  荷台
３ｂ  運転席
４    本体フレーム
５    小型発電機
６    ペレット堆肥収容ホッパ
６ａ  左右の側板
６ｂ  前部傾斜板
６ｃ  後部傾斜板
６ｄ  ペレット堆肥繰り出し口
７    ペレット堆肥繰り出し用モータ
７ａ  ベルト伝動系
８    ペレット堆肥繰り出し装置
９    ペレット堆肥散布用モータ
９ａ  ベルト伝動系
１０  回転円盤
１０ａ  放出羽根
１１  ペレット堆肥散布装置
１２  ペレット堆肥散布幅制御装置
１２ａ，１２ｂ  板状体
１２ｃ  ヒンジ
１２ｄ  シリンダ機構
１３  ペレット堆肥繰り出し用回転軸
１３ａ  ペレット堆肥攪拌・繰り出し羽根
１４  ペレット堆肥繰り出し量調節板
１４ａ  ペレット堆肥繰り出し量調節レバー
１５  ペレット堆肥繰り出し口開閉シャッタ
１５ａ  ペレット堆肥繰り出し停止レバー
１６  ペレット堆肥案内板
１７  モータ制御盤
１８  移動台車
【図１】
0003111822.tif 000004
【図２】
0003111822.tif 000005
【図３】
0003111822.tif 000006
【図４】
0003111822.tif 000007
【図５】
0003111822.tif 000008
【図６】
0003111822.tif 000009
【図７】
0003111822.tif 000010
【図８】
0003111822.tif 000011
【図９】
0003111822.tif 000012
【図１０】
0003111822.tif 000013
【図１１】
0003111822.tif 000014
【図１２】
0003111822.tif 000015